(57)【要約】【課題】人の手で服用時点毎に分包薬剤を充填する必要が無く、服薬を確実にさせ、さらにバイタルサインも収集できる服薬支援装置を実現する。【解決手段】  服薬支援装置内のリール１に、服薬順に一包化された一連の分包薬剤２を巻き付けセットする。服用時刻になると、ローラー４により、分包薬剤が送り出され、分包薬剤カッター５で１回服用分の分包薬剤が切り出される。アラームが鳴るので装置８に指を挿入すると、アラームが鳴りやむ。同時に血圧、脈拍、体温、酸素分圧等のバイタルサインを測定し、記録し、インターネットを介して外部に報告する。長時間分包薬剤トレー６に切り出された分包薬剤が置き去りになっているとアラームがなり、インターネットを介して外部に連絡する。【選択図】図１
2018140138.tif 000002
【特許請求の範囲】
【請求項１】
服用順に分包された一連の分包薬剤の綴りをリールにセットして、服用時刻にその時点で服用しなければならない分包薬剤が自動で排出される服薬支援装置。
【請求項２】
請求項１記載の装置において、さらに分包薬剤の取り忘れを検知してアラートを出し、インターネットを通じて外部に知らせる機能を設けた服薬支援装置。
【請求項３】
請求項１記載の装置において、さらに生体反応を取得しインターネットを通じて外部に知らせる機能を設けた服薬支援装置。
【請求項４】
請求項１記載の装置において、さらに生体認証を用いて薬の服用者本人である事を識別する機能を設けた服薬支援装置。
【発明の詳細な説明】
【技術分野】
【０００１】  本発明は、分包調剤された薬剤（以下、分包薬剤）を収納する、服薬管理システム付き服薬支援装置に関するものである。
【背景技術】
【０００２】  従来の服薬支援装置は、薬を服用時点毎に収納する形態である。従って、医師から指示された薬の服用時点が、その服薬支援装置の定型の服用時点にあてはまらない場合は使えない。【０００３】  従来の服薬支援装置は、服用時点毎に個別に人の手によって充填することによっての誤充填が生じる欠点がある。【０００４】  また、決められた服用時点で薬を服用しなければならないという認識や理解力が低下している患者には、単に薬が服用時点毎に服薬支援装置に収納されているだけ、あるいは、服薬支援装置から出てくるだけでは、確実な服薬にはつながらない。即ち、服薬支援装置からの取り忘れや取り違いが生じる。
【先行技術文献】
【特許文献】
【特許文献１】
【０００５】特開２０１５−５８０８１
【非特許文献】
【非特許文献１】
【０００６】なし
【発明の概要】
【発明が解決しようとする課題】
【０００７】  解決しようとする問題点は、あらゆる服用時点の分包薬剤を収納できるようにする。【０００８】  本発明は、人の手で服用時点毎に分包薬剤を充填する必要が無い。【０００９】  リールに巻いた分包薬剤を、ワンタッチで交換できる。【００１０】  服用時点になると、その服用時点に服薬すべき分包薬剤が排出され、服薬時刻を知らせるアラームが鳴り服薬行動を促す。【００１１】  アラームは指挿入部に指を挿入することによって消音する。付属の機能として、患者がボタンを押下する際に、生体認証で本人確認ができる。【００１２】  また、付属の機能として、患者が指挿入部に指を挿入した際の生体反応から、患者の体調観察を行い、そのデータは、予め患者の服薬管理について患者と合意をした、家族や主治医等の医療従事者及び介護従事者（以下、家族等）に電子的に送信される。【００１３】  患者が服薬をしなかった場合は、服薬をしなかった旨、家族等へ電子的に連絡する。
【課題を解決するための手段】
【００１４】  以上の課題を解決するために、本発明では分包薬剤収納容器にリールを設置し、リールに服用時刻ごとに並べられた一連の分包薬剤を巻き付け、電子制御により服用時刻になると分包薬剤を外部に突き出たトレーに送り出す。【００１５】  送り出しが終了すると、電子制御されたカッターで、分包薬剤を１回服用分にカットし、アラームを鳴らして、薬剤服用者に服用時刻になった旨を知らせる。【００１６】  薬剤服用者が、本装置に設置されている指を挿入する部分に指を挿入すると、アラームが止まる。【００１７】  同時に指において、血圧、脈拍、体温、酸素分圧、ＨｂＡｌｃ（ヘモグロビン・エーワンシー）値等の在宅介護支援に必要なバイタルサインを測定し、本装置の電子制御部に記録し、インターネットを介して外部に報告する。【００１８】  薬剤服用者の指が一定時間挿入されない場合、インターネットを介して外部に報告する。【００１９】  トレーはカメラによって分包薬剤を検知しており、一定時間分包薬剤が置き去りになっていた場合も、インターネットを介して外部に報告する。
【発明の効果】
【００２０】  超高齢社会を迎え在宅介護が増大する中にあって、本発明を使用することにより、リールに巻いた分包薬剤を、ワンタッチで交換、セットする事が可能になるので、莫大な手数の削減、コストの削減が可能となる。【００２１】  服用時点毎に個別に充填することがないので、誤充填の恐れがなくなる。【００２２】  電子制御とアラーム、そして外部への連絡により服用忘れを回避でき、薬剤服用者が危険な状態に陥った場合も、早期の発見が可能となる。【００２３】  定期的かつ一定時刻のバイタルサイン取得が継続して可能となるので、体調変化が早期に判明し、また医師の診断材料も増える。
【図面の簡単な説明】
【００２４】
【図１】この発明の一実施形態を示す図である。
【図２】この発明の機械系動作部分のフローチャートの一例である。
【図３】この発明の電子制御系部分のフローチャートの一例である。
【図４】この発明の使用方法の一例である。
【発明を実施するための形態】
【００２５】  この発明の一実施形態を、図１に示す。
【００２６】  服薬支援装置内のリール１に、服薬順に一包化された一連の分包薬剤２を巻き付けセットする。
【００２７】  電子制御装置（小型ＰＣ）３から服用時刻になると、分包薬剤送り出しローラー４に信号が送られて、分包薬剤が送り出される。
【００２８】  一定の長さに分包薬剤が送りだされたら、分包薬剤カッター５で１回服用分の分包薬剤が分包薬剤トレー６に切り出される。
【００２９】  電子制御装置（小型ＰＣ）３からアラームが鳴り、指を差込み、血圧、脈拍、体温、酸素分圧等のバイタルサインを測定し、生体認証もする装置８に指９を挿入すると、アラームが鳴りやむ。
【００３０】  同時に血圧、脈拍、体温、酸素分圧、ＨｂＡｌｃ（ヘモグロビン・エーワンシー）値等のバイタルサインを測定し、電子制御装置（小型ＰＣ）３に記録し、電子制御装置（小型ＰＣ）３が、インターネットを介して外部に報告する。
【００３１】  長時間分包薬剤トレー６に切り出された分包薬剤が置き去りになっているとアラームがなり、電子制御装置（小型ＰＣ）３が、インターネットを介して外部に連絡する。
【符号の説明】
【００３２】    １  リール
２  服薬順に一包化された一連の薬包
３  電子制御装置（小型ＰＣ）
４  分包薬剤送り出しローラー
５  分包薬剤カッター
６  分包薬剤トレー
７  指を差込み、血圧、脈拍、体温、酸素分圧、ＨｂＡｌｃ（ヘモグロビン・エーワンシー）値等のバイタルサインを測定し、生体認証もする装置。
８  指
９  カメラ
【図１】
2018140138.tif 000003
【図２】
2018140138.tif 000004
【図３】
2018140138.tif 000005
【図４】
2018140138.tif 000006